(57)【要約】【課題】身体等に掛けられた紐体に物体が吊るされた状態のまま、紐体が挿通される部材の位置を紐体に対して容易に移動できる紐体組を提供すること。【解決手段】サスペンダー１０は、ズボンを支持する第一紐部１１及び第二紐部１２と、第一紐部１１及び第二紐部１２との間に配される結合部１３と、ズボンと接続される第一取付部１５及び第二取付部１６と、を備え、第一紐部１１及び第二紐部１２が挿通される挿入部が結合部１３に配され、第一紐部１１及び第二紐部１２が挿入部に挿通されて第一取付部１５及び第二取付部１６と接続されたズボンが支持される際に、第一紐部１１及び第二紐部１２のズボンと対向する側が挿入部の前後で入れ替わるように第一紐部１１及び第二紐部１２がそれぞれ折り返される。【選択図】図１
2017106138.tif 000002
【特許請求の範囲】
【請求項１】
被吊物を支持する第一紐部及び第二紐部と、
前記第一紐部及び前記第二紐部との間に配される結合部と、
前記被吊物と接続される第一取付部及び第二取付部と、
を備え、
前記第一紐部及び前記第二紐部が挿通される挿入部が前記結合部に配され、
前記第一紐部及び前記第二紐部が前記挿入部に挿通されて前記第一取付部及び前記第二取付部と接続された前記被吊物が支持される際に、前記第一紐部及び前記第二紐部の前記被吊物と対向する側が前記挿入部の前後で入れ替わるように前記第一紐部及び前記第二紐部がそれぞれ折り返される紐体組。
【請求項２】
前記挿入部が、第一挿入部及び第二挿入部に離間して前記結合部に配され、
前記第一紐部が、前記第一挿入部に挿通され、
前記第二紐部が、前記第二挿入部に挿通される請求項１に記載の紐体組。
【請求項３】
前記第一紐部及び前記第二紐部が腕径よりも大径な輪形にそれぞれ形成されている請求項１又は２に記載の紐体組。
【請求項４】
前記第一紐部及び前記第二紐部にそれぞれ腕が通され、前記結合部が身体に当接した状態で前記被吊物を支持する請求項３に記載の紐体組。
【発明の詳細な説明】
【技術分野】
【０００１】
本発明は、紐体組に関する。
【背景技術】
【０００２】
紐体にて被吊物を支持する紐体組の一例として、ズボン等の衣服を吊ってこれを保持するサスペンダーが知られている。
【０００３】
サスペンダーは、通常、紐体が挿通又は固定される部材として背カンなどを備え、紐体の端部に接続された留め具をズボンの上端部に接続することによって、ズボンを肩から吊り下げる機能を有する。このようなサスペンダーは、背カンなどに相当する部材を中心とした紐体の態様によって、Ｙ型、Ｈ型、Ｘ型及びタスキ型の４種類に大別される（例えば、特許文献１参照）。
【先行技術文献】
【特許文献】
【０００４】
【特許文献１】特開平１０−３２５００８号公報
【発明の概要】
【発明が解決しようとする課題】
【０００５】
しかしながら、上記従来のサスペンダーは、例えば、背中への背カンの当たり具合が悪い場合、着用した状態で紐体に対して背カンを移動しようとしても移動が難しく、背中への背カンの当たり具合を調整することが難しい。
【０００６】
本発明は上記事情に鑑みて成されたものであり、身体等に掛けられた紐体に物体が吊るされた状態のまま、紐体が挿通される部材の位置を紐体に対して容易に移動できる紐体組を提供することを目的とする。
【課題を解決するための手段】
【０００７】
本発明は、上記課題を解決するため、以下の手段を採用する。
本発明に係る紐体組は、被吊物を支持する第一紐部及び第二紐部と、前記第一紐部及び前記第二紐部との間に配される結合部と、前記被吊物と接続される第一取付部及び第二取付部と、を備え、前記第一紐部及び前記第二紐部が挿通される挿入部が前記結合部に配され、前記第一紐部及び前記第二紐部が前記挿入部に挿通されて前記第一取付部及び前記第二取付部と接続された前記被吊物が支持される際に、前記第一紐部及び前記第二紐部の前記被吊物と対向する側が前記挿入部の前後で入れ替わるように前記第一紐部及び前記第二紐部がそれぞれ折り返される。
【０００８】
また、本発明に係る紐体組は前記紐体組であって、前記挿入部が、第一挿入部及び第二挿入部に離間して前記結合部に配され、前記第一紐部が、前記第一挿入部に挿通され、前記第二紐部が、前記第二挿入部に挿通される。
【０００９】
また、本発明に係る紐体組は前記紐体組であって、前記第一紐部及び前記第二紐部が腕径よりも大径な輪形にそれぞれ形成されている。
【００１０】
また、本発明に係る紐体組は前記紐体組であって、前記第一紐部及び前記第二紐部にそれぞれ腕が通され、前記結合部が身体に当接した状態で前記被吊物を支持する。
【発明の効果】
【００１１】
本発明によれば、身体等に掛けられた紐体に物体が吊るされた状態のまま、紐体が挿通される部材の位置を紐体に対して容易に移動できる。
【図面の簡単な説明】
【００１２】
【図１】本発明の一実施形態に係るサスペンダーを示す概要図である。
【図２】本発明の一実施形態に係るサスペンダーを示す要部拡大図である。
【図３】本発明の一実施形態に係るサスペンダーを装着した状態を背中側から示す図である。
【図４】本発明の一実施形態に係るサスペンダーを装着した状態を腹側から示す図である。
【発明を実施するための形態】
【００１３】
本発明に係る一実施形態について、図１及び図２を参照して説明する。
本実施形態に係るサスペンダー（紐体組）１０は、図１に示すように、第一紐部１１及び第二紐部１２と、第一紐部１１及び第二紐部１２との間に配される結合部１３と、図１には不図示のズボン（被吊物）と接続される第一取付部１５及び第二取付部１６と、を備えている。
【００１４】
第一紐部１１は、幅広に形成されるとともに、両端に移動カン１７が接続され、途中部分が移動カン１７に挿通された状態で腕径よりも大径な輪形に形成されている。第二紐部１２は、幅広に形成されるとともに、両端に移動カン１７が接続され、途中部分が移動カン１７に挿通された状態で腕径よりも大径な輪形に形成されている。
【００１５】
第一取付部１５は、第一紐部１１端部の移動カン１７に周方向に移動自在に挿通される第一輪部１８と、第一輪部１８がその周方向に移動自在に挿通するカン付第一留め具２０と、を備えている。第二取付部１６は、第二紐部１２端部の移動カン１７に周方向に移動自在に挿通される第二輪部２１と、第二輪部２１がその周方向に移動自在に挿通するカン付第二留め具２２と、を備えている。
【００１６】
結合部１３は、長手方向と幅方向とを有する平板状に形成されている。そして、図２に示すように、第一紐部１１及び第二紐部１２が移動自在に挿通される挿入部２３が結合部１３に配されている。挿入部２３は、結合部１３の幅方向に長い第一孔（第一挿入部）２３Ａ及び第二孔（第二挿入部）２３Ｂとして結合部１３の長手方向両端に離間して略平行に配されている。
【００１７】
第一孔２３Ａは、第一紐部１１の幅よりも長くかつ第一紐部１１の厚さよりも広い幅の長孔形状とされ、第一紐部１１が移動自在に挿通されている。第二孔２３Ｂは、第二紐部１２の幅よりも長くかつ第二紐部１２の厚さよりも広い幅の長孔形状とされ、第二紐部１２が移動自在に挿通されている。
【００１８】
次に、本実施形態に係るサスペンダー１０の使用方法及び作用について、図３及び図４を用いて説明する。
まず、ズボンＰの左右の上端部２ヶ所とサスペンダー１０のカン付第一留め具２０及びカン付第二留め具２２とをそれぞれ接続する。そして、ズボンＰをはき、左右の腕を第一紐部１１及び第二紐部１２に通しそれぞれの肩に掛ける。或いは、左右の腕を第一紐部１１及び第二紐部１２に通しそれぞれの肩に掛けてズボンＰをはいた後、ズボンＰの左右の上端部２ヶ所とサスペンダー１０のカン付第一留め具２０及びカン付第二留め具２２とをそれぞれ接続する。ただし、これらの接続については、最終的に図３及び図４に示す状態となるのであればどのような順番でも構わない。
【００１９】
このとき、第一孔２３Ａ及び第二孔２３Ｂに挿通された第一紐部１１及び第二紐部１２は、図２及び図３に示すように、第一孔２３Ａ及び第二孔２３Ｂにて表側と裏側とが入れ替わるようにそれぞれ折り返される。すなわち、第一紐部１１及び第二紐部１２のズボンＰと対向する側が挿入部２３の前後で入れ替わるようにそれぞれ折り返される。
【００２０】
このサスペンダー１０によれば、カン付第一留め具２０及びカン付第二留め具２２の２点でズボンＰを支持することができる。この際、第一紐部１１及び第二紐部１２に腕を通した状態にもかかわらずズボンＰの前後ではなく左右でズボンＰを吊るので、背中や腹に当接する領域を従来よりも少なくすることができる。
【００２１】
また、結合部１３の第一孔２３Ａ及び第二孔２３Ｂの前後で第一紐部１１及び第二紐部１２の表側と裏側とが入れ替わるようにそれぞれ折り返される。そのため、第一紐部１１、第二紐部１２及び結合部１３の相対移動をある程度規制することができる。このとき、折返し角度を身体に合わせて調整することができ、身体や肩への負担を少なくすることができる。
【００２２】
そして、例えば移動カン１７にて第一紐部１１及び第二紐部１２の輪径を拡縮させた際に肩や背中に対する結合部１３の位置が不適当となった場合、第一紐部１１及び第二紐部１２が結合部１３で折り返されているだけなので、第一紐部１１及び第二紐部１２に対して結合部１３の位置を移動することができ、身体や肩への負担がさらに少なくなるように結合部１３の位置を調整することができる。
【００２３】
また、挿入部２３が、第一孔２３Ａ及び第二孔２３Ｂに離間して配されているので、第一紐部１１及び第二紐部１２の折返し角度を鈍角にすることができ、身体や肩への負担を少なくすることができる。
【００２４】
なお、本発明の技術範囲は上記実施の形態に限定されるものではなく、本発明の趣旨を逸脱しない範囲において種々の変更を加えることが可能である。
【００２５】
例えば、第一紐部１１及び第二紐部１２は、幅広に形成されるとともに、移動カン１７によって腕径よりも大径な輪形に形成されているとしているが、幅広でなくても構わない。また、輪形に形成されていなくても構わない。この場合、第一紐部及び第二紐部の両端側に第一取付部及び第二取付部がそれぞれ接続される。そして、ズボンＰの左右の上端部２ヶ所とサスペンダー１０とを固定するとしているが、これに限らず、さらに第一取付部及び第二取付部の数に応じて固定する場所があってよい。
【００２６】
また、第一取付部１５は第一輪部１８を、及び第二取付部１６は第二輪部２１をそれぞれ備えているとしているが、輪形のものでなくても構わない。
【００２７】
さらに、第一取付部１５は第一紐部１１に、及び第二取付部１６は第二紐部１２にそれぞれ移動自在に配されるとしているが、第一紐部１１及び第二紐部１２にそれぞれ固定して接続されていても構わない。
【００２８】
また、結合部１３は平板状に限らず身体に適合するような立体形状であっても構わない。そして、第一孔２３Ａ及び第二孔２３Ｂは離間して配されるとしているが、隣接していてもよく、一つの孔として形成されていても構わない。
【００２９】
さらに、挿入部の形状は、第一紐部１１及び第二紐部１２のズボンＰと対向する側が挿入部２３の前後で入れ替わるように第一紐部１１及び第二紐部１２をそれぞれ折り返すことができるものであれば、上述した形状に限らず、カンのような部品でも構わない。また、結合部１３の長手方向に平行に配されるものに限らない。
【００３０】
また、上記実施形態ではサスペンダー１０について説明したが、サスペンダー１０に限らない。そして、被吊物としてズボンに限らずスカートなどの他の被服でもよい。さらには被吊物として被服に限らず台や箱、シーツ類などでも構わない。
【符号の説明】
【００３１】
１０  サスペンダー（紐体組）
１１  第一紐部
１２  第二紐部
１３  結合部
１５  第一取付部
１６  第二取付部
２３  挿入部
２３Ａ  第一孔（第一挿入部）
２３Ｂ  第二孔（第二挿入部）
Ｐ  ズボン（被吊物）
【図１】
2017106138.tif 000003
【図２】
2017106138.tif 000004
【図３】
2017106138.tif 000005
【図４】
2017106138.tif 000006